(57)【要約】【課題】手編において、表編と裏編の編み方を初心者でも容易に編むことができ、しかも労少なく時間もかからない手編の方法を開発すること。【解決手段】表編は右手針Ｘの先端を左手針最右端のループＤ５の手前側の糸Ｄ５ａと向う側の糸Ｄ５ｂの間で左手針の向う側に交差するように挿入したあと、ループの中で交差している右手針Ｘの先端に向う側から針下手前側に回すように編糸をかけて右手針ＸをループＤ５の中へすくい出す。その時針にかかっているＤ５にねじらずに編針Ｘを挿入し編針Ｘに糸をねじらずにかけるのでねじれないループＥ５が出来る。裏編は右手針Ｙの先端を左手針最右端のループＥ５の手前側の糸Ｅ５ａと向う側の糸Ｅ５ｂの間で左手針Ｘの手前側に交差するように挿入した後ループＥ５の中で交差している右手針Ｙの先端に編糸を手前側から右手針下を通って向う側にかけ右手針Ｙにかかっている編糸をループＥ５の中へすくい出すので表編、裏編共に編糸をねじることなく編める。【選択図】図１３
2011241523.tif 000002
【特許請求の範囲】
【請求項１】
表編と裏編のいずれか、又は両方を使用して編成する編物であって
表編は
（イ）編目のかかっている針を左手に持ち編み進めていく針を右手に持った状態で、（ロ）右手針の先端を左手針最右端のループの手前側の糸と向う側の糸の間で、左手針の向う側に交差するように挿入した後、
（ハ）ループの中で交差している右手針の先端に、向う側から針下手前側に回すように編糸をかけて右手針をループの中へすくい出すことによって右手針に新しいループを作成し、
裏編は、
（ニ）表編を一段編み終えた後、右手針を左手に持ち変えるとともに、左手針も右手にもち返ることによって、編目が裏返り、
（ホ）右手針の先端を左手針最右端のループの手前側の糸と向う側の糸の間で左手針の手前に交差するように挿入した後、
（ヘ）ループの中で交差している右手針先端に、編糸を手前側から右手針下を通って向う側へかけ右手針にかかっている編糸をループの中へすくい出していき右手針に新しいループを作成する
ことを特徴とするねじらない表編とねじらない裏編の組み合わせによる編成方法。
【請求項２】
請求項１に記載の編成方法により編まれたことを特徴とする。
【発明の詳細な説明】
【技術分野】
【０００１】本発明は独自の手編による編成方法と、その編成方法による編まれた編物に関する。
【背景技術】
【０００２】従来、手編みによるメリヤス編やゴム編ガーター編、かのこ編が知られており、それらの編方は表編と裏編の組み合わせによって編まれている。従来のメリアス編の編み方について説明すると、例えば、財団法人日本編物検定協会、文部科学省後援毛糸編物技能検定試験、受験の手引き４級２０，２１頁に記載されている。【０００３】そこに記載されているメリヤス編について、図１５〜図１７で説明すると、
表編は、
（ト）図１５に図示しているように、編目のかかっている針ＹＹを左手に持ち、編み進めていく針ＸＸを右手に持った状態で
（チ）図１６に図示しているように、右手針ＸＸの先端を左手針最右端のループＳ７の手前側の糸Ｓ７ａと向こう側の糸Ｓ７ｂの間で、手前側の糸Ｓ７ａの手前側から挿入し、左手針ＹＹの向こう側に右手針ＸＸを交差させ、
（リ）図１７に図示しているように、ループＳ７の中で交差している右手針ＸＸの先端に向こう側から右手針下手前側に回すように編糸ＫＫをかけて、右手針ＸＸにかけた編糸ＫＫをループＳ７の中にすくい出すことによって右手針ＸＸに新しいループＴ７を作成移行する編成方法であり【０００４】またそこに記載されているメリヤス編の裏編みについて図１８〜図２０で説明すると、
裏編は、
（ヌ）図１８に図示しているように、表編を（ト）（チ）（リ）の手順で左手針にかかっている目数分を一段編み終えた後、右手針ＸＸを左手に持ち変えるとともに左手針ＹＹも右手に持ち変えることによって編目を裏返し、
（ル）図１９に図示されているように、右手針ＹＹの先端を左手針最右端のループＴ７の手前側の糸Ｔ７ａと向こう側の糸Ｔ７ｂの間で左手針ＸＸの手前に交差するように挿入した後、
（ヲ）図２０に図示されているように、ループＴ７の中で交差している右手針ＹＹの先端に編糸ＫＫを手前側から針上を通って向こう側、さらに針下を通って手前側にかけ、さらに向こう側へと回すようにかけ、右手針ＹＹにかかっている編糸ＫＫをループＴ７の中へすくい出していき、右手針ＹＹに新しいループＵ７を作成する
ことによる編成方法である。【０００５】  尚、糸や、針の挿入に係る表現について説明すると、左手針の最右端にあるループについては、左手針の手前側のループの部分  を「手前側の糸」と表現し、左手針のループの向う側にある部分  を「向う側の糸」と表現し、また、そのループに右手針の先端を挿入する場合に「手前側の糸」と「向う側の糸」との間にそのまま挿入する挿入を「手前側の糸と向う側の糸の間に挿入する」と表現し、「手前側の糸」の手前側から「向う側の糸」の糸の間に挿入する挿入を「手前側の糸の手前側から挿入する」と表現する。
【先行技術文献】
【非特許文献】
【０００６】
【非特許文献１】「文部科学省後援  毛糸編物技術検定試験  受験の手引４級」（財団法人日本編物検協会２００９年版）２０頁〜２１頁
【発明の概要】
【発明が解決しようとする課題】
【０００７】このように、従来のメリヤス編みの表編、裏編について検討すると、表編では（チ）において、右手針ＸＸの先端を左手針最右端のループＳ７の手前側の糸Ｓ７ａと向う側の糸Ｓ７ｂの間で、手前の糸Ｓ７ａの手前側から挿入し、左手針ＹＹの向う側に右手針ＸＸを交差させるので、ループＳ７はねじられた状態で右手針ＸＸに移行している。【０００８】裏編では（ヲ）において、ループＴ７の中で交差している右手針ＹＹの先端に編糸ＫＫを手前側から針上を通って向う側、さらに針下を通って手前側にかけ、さらに向う側へと回すようにかけ、右手針ＹＹにかかっている編糸ＫＫをループＴ７の中へすくい出していき右手針ＹＹに新しいループＵ７がねじれた状態のループになるので、ループＵ７はねじられた状態の新しいループとなる。【０００９】そこで、次に図１４で従来のメリアス編みにおけるループの作成についてさらに詳細に説明する。まずループＳ７について説明すると、裏編の段階であるＳＴ−１１において、左手針ＸＸにループＲ７が最右端にある状態で右手針をループＲ７の手前側の糸と向う側の糸の間で左手針の手前に交差するように挿入し、右手針の先端に編糸ＫＫを手前側から針上を通って向う側、さらに針下を通って手前側にかけ、さらに向う側へと回すようにかけ、右手針ＹＹにかけた編糸ＫＫをループＲ７の中にすくい出すことによって、ループＳ７が作成される。ループＳ７は糸を２回まわすようにかけることで、ねじられたループになり、ループＲ７はループＳ７の下に編み下がる。【００１０】Ｒの段を編み終えた後、ねじれたループＳ段のかかっている右手針ＹＹを左手に持ち変えて表編を編んでいく。ＳＴ−１２において、ループＳ７のかかっている針ＹＹを左手に持ち、編み進めていく針ＸＸを右手に持った状態で、右手針ＸＸの先端を左手針最右端のループＳ７の手前側の糸Ｓ７ａと向う側の糸Ｓ７ｂの間で手前側の糸Ｓ７ａの手前側から挿入し、左手針ＹＹの向う側に右手針ＸＸを交差させ、ループＳ７の中で交差している右手針ＸＸの先端に向う側から右手針下手前側に回すように編糸ＫＫをかけて右手針ＸＸにかけた編糸ＫＫをループＳ７の中にすくい出すことによって、右手針ＸＸに新しいループＴ７を作成する。ループＳ７は針の挿入の仕方によってねじられた形となり、ループＴ７の下に編み下がる。【００１１】以上のように、ループＳ７は結果としてＳＴ−１１でねじられ、ＳＴ−１２でねじられた形、つまり、ねじり戻された形となり、最終的には、ねじられていないループとしてループＴ７の下に編み下がることとなる。【００１２】次に、ループＴ７について説明すると、ループＴ７は表編みの段階であるＳＴ−１２において、右手針ＸＸの先端に向う側から右手針下手前側に回すように編糸ＫＫを右手針ＸＸにかけて編糸ＫＫをループＳ７の中にすくい出すことによって右手針ＸＸに作成されるので、ねじれていないループとして作成される。【００１３】ループＴ７は裏編の段階であるＳＴ−１３において、左手針ＸＸにループＴ７が最右端にある状態で右手針をループＴ７の手前側の糸Ｔ７ａと向う側の糸Ｔ７ｂの間に左手針ＸＸの手前側に挿入し、右手針の先端に編糸ＫＫを手前側から針上を通って向う側にさらに針下を通って手前側にかけ、さらに向う側へと回すようにかけて編糸ＫＫをループＴ７の中にすくい出すことによって新しいループＵ７ができ、ループＴ７は、ねじれないでループＵ７の下に編み下がる。以上のように、ループＴ７は結果として、ＳＴ−１２でねじられていないループとして作成され、ＳＴ−１３でねじれないでループＵ７の下に編み下がることとなる。【００１４】次に、ループＵ７について説明する。表編であるＴの段を編み終えたあとループＴ段のかかった右手針を左手に持ちなおして裏編を編んでいく。ＳＴ−１３において、左手針ＸＸ最右端にかかっているＴ７に右手針ＹＹをループＴ７の手前側の糸Ｔ７ａと向う側の糸Ｔ７ｂの間に左手針手前側に挿入し右手針先端に編糸ＫＫを手前側から針上を通って向う側にさらに針下を通って手前側にかけさらに向う側にと回すようにかけて編糸ＫＫをループＴ７の中にすくい出すことによって、ループＵ７が作成される。ループＵ７は糸を２回まわすようにかけることでねじられたループになり、ループＴ７はループＵ７の下に編み下がる。これ以降は、Ｓ７と同様な状態で編まれ、Ｕ７も最終的には、ねじり戻された形となり、ねじられていないループとしてループＶ７の下に編み下がることとなる。【００１５】このように従来のメリヤス編はループＳ７やループＵ７のように裏編においてねじれたループになり、ねじれたループは表編でねじり返される状態で編まれることとなる。以上メリヤス編について説明したが、従来のゴム編、かのこ編、ガータ編においても同様に、裏編みにおいてねじれたループが作成されると、ねじれたループは表編でねじり返される状態で編まれることとなる。【００１６】したがって、従来の手編みにおいては、裏編みにおいてねじれたループが作成されると、ねじれたループは表編でねじり返される状態で編まれることとなるので、
１、糸を余分にかけてねじり返す作業が入る分だけ揃ったように編むことは難しい、特に初心者が編むと編み目が揃わない、
２、裏編においては糸のかけ方が糸を針に２回かけて多く使うので大量の糸を必要とし、大量の糸を使用する分長時間編むこととなり疲れる
３、裏編においては糸のかけ方が糸を針に２回かけて多く使うので、編まれた結果は特に伸びやすく型くずれしやすい編みものとなる。
【発明が解決しようとする手段】
【００１７】そこでこれらの課題を解決するために本発明は以下の構成とした。
表編は
（イ）編目のかかっている針を左手に持ち、編み進めていく針を右手に持った状態で、
（ロ）右手針の先端を左手針最右端のループの手前側の糸と向こう側の糸の間で、左手針の向こう側に交差するように挿入した後、
（ハ）ループの中で交差している右手針の先端に向う側から右手針下手前側に回すように編糸をかけて右手針にかけた編糸をループの中にすくい出すことによって右手針に新しいループを作成し、
裏編は、
（二）表編を一段編み終えた後、右手針を左手に持ち変えるとともに、左手針も右手に持ち変えることによって編目を裏返し、
（ホ）右手針の先端を左手針最右端のループの手前側の糸と向う側の糸の間で左手針の手前に交差するように挿入した後、
（ヘ）ループの中で交差している右手針の先端に編糸を手前側から右手針下を通って向う側へかけ右手針にかけた編糸をループの中へすくい出していき右手針に新しいループを作成する編成方法。
また、ねじらない表編とねじらない裏編の組み合わせによる編成方法により編まれたことを特徴とする編物。
【００１８】そこで、次に図１３で本発明のメリヤス編みにおけるループの作成についてさらに詳細に説明する。まずループＤ５について説明すると、裏編の段階であるＳＴ−１において、左手針にループＣ５が最右端にある状態で右手針をループＣ５の手前側の糸Ｃ５ａと向う側の糸Ｃ５ｂの間で左手針の手前で交差するように挿入したあと、ループＣ５の中で交差している右手針の先端に編糸Ｋを手前側から右手針下を通って向う側へかけ右手針にかけた編糸をループＣ５の中へすくい出すことによって右手針に新しいループＤ５が作成される。ループＤ５は編糸Ｋを手前側から右手針下を通って向う側へかけ右手針にかけた編糸をループＣ５の中へすくい出すことによって作成されるので、ねじれていないループＤ５が作成され、ループＣ５はループＤ５の下に編み下がる。
【００１９】次に一段Ｃ段を編み終えたあと、裏編のかかった右手針Ｙを左手に持ち変えて表編を編んでいく。ループＤ５のかかっている針Ｙを左手に持ち編み進めて行く針Ｘを右手に持った状態で右手針Ｘの先端を左手針最右端のループＤ５の手前側の糸Ｄ５ａと向う側の糸Ｄ５ｂの間で左手針Ｙの向う側に交差するように挿入した後、ループＤ５の中で交差している右手針の先端に向う側から右手針下手前側に回すように編糸をかけて右手針Ｘにかけた編糸ＫをループＤ５の中にすくい出す事によって右手針Ｘに新しいループＥ５が作成される。ループＤ５は針の挿入の仕方によってねじらていない形となり、ループＥ５の下に編み下がる。
【００２０】以上のようにループＤ５は、結果としてＳＴ−１でもＳＴ−２でもねじれない形になり、ループＤ５はねじられていないループとしてループＥ５の下に編み下がる。
【００２１】次に、ループＥ５について説明すると、ループＥ５は表編みの段階であるＳＴ−２において、右手針Ｘの先端に向う側から右手針下手前側に回すように編糸Ｋを右手針Ｘにかけて編糸ＫをループＤ５の中にすくい出すことによって右手針Ｘに作成されるので、ねじれていないループとして作成される。
ループＥ５は裏編の段階であるＳＴ−３において、左手針ＸにループＥ５が最右端にある状態で右手針をループＥ５の手前側の糸Ｅ５ａと向う側の糸Ｅ５ｂの間に左手針Ｘの手前側に交差するように挿入し、右手針の先端に編糸Ｋを手前側から右手針下を通って向う側にかけ、右手針にかけた編糸ＫをループＥ５の中にすくい出すことによって新しいループＦ５ができ、ループＥ５は、ねじれないでループＦ５の下に編み下がる。以上のように、ループＥ５は結果として、ＳＴ−２でねじられていないループとして作成され、ＳＴ−３でねじれないでループＦ５の下に編み下がることとなる。
【００２２】次に、ループＦ５について説明する。表編であるＥの段を編み終えたあとループＥ段のかかった右手針を左手に持ちなおして裏編を編んでいく。ＳＴ−３において、左手針Ｘ最右端にかかっているＥ５に右手針ＹをループＥ５の手前側の糸Ｅ５ａと向う側の糸Ｅ５ｂの間に左手針手前側に挿入し右手針先端に編糸Ｋを手前側から右手針下を通って向う側にかけ右手針にかけた編糸ＫをループＥ５の中にすくい出すことによって、ループＦ５が作成される。ループＦ５は編糸Ｋを手前側から右手針下を通って向う側にかけ右手針にかけた編糸ＫをループＥ５の中にすくい出すのでねじられていないループになり、ループＦ５はループＥ５の下に編み下がる。これ以降は、Ｄ５と同様な状態で編まれ、Ｆ５も最終的には、ねじられていないループとしてループＧ５の下に編み下がることとなる。
【００２３】このように本発明のメリヤス編はループＤ５やループＦ５のように裏編においても表編においてもねじられない状態で編まれることとなる。以上メリヤス編について説明したが、ゴム編、かのこ編、ガータ編においても同様に、裏編においても表編においてもねじられない状態で編まれることとなる。
【発明の効果】
【００２４】したがって、本発明の手編みにおいては、裏編みにおいても表編においてもねじる状態で編まれることはないので、
１、糸を余分に使うこともなく揃った状態で編むことができる。初心者にとっても編み目を揃えて編むことができる。
２、裏編においては糸のかけ方が糸を針に２回かけて多く使う必要もないので、大量の糸を必要とせず、長時間編んでも、従来の編み方ほど疲れない
３、また、裏編においては糸のかけ方が糸を針に２回かけて多く使うこともないので、編まれた結果は伸びにくく型くずれしにくい編みものとなる。
【図面の簡単な説明】
【００２５】
【図１】本発明の編始めの裏編を表した図面。
【図２】本発明の編始めの裏編を表した図面。
【図３】本発明の編始めの裏編を表した図面。
【図４】本発明の編始めの表編を表した図面。
【図５】本発明の編始めの表編を表した図面。
【図６】本発明の編始めの表編を表した図面。
【図７】本発明の裏編の編方を表した図面。
【図８】本発明の裏編の編方を表した図面。
【図９】本発明の裏編の編方を表した図面。
【図１０】本発明の表編の編み方を表した図面。
【図１１】本発明の表編の編み方を表した図面。
【図１２】本発明の表編の編み方を表した図面。
【図１３】本発明の表編、裏編を説明した図。
【図１４】従来の表編、裏編を説明した図。
【図１５】従来の表編方を表した図面。
【図１６】従来の表編方を表した図面。
【図１７】従来の表編方を表した図面。
【図１８】従来の裏編の編方を表した図面。
【図１９】従来の裏編の編方を表した図面。
【図２０】従来の裏編の編方を表した図面。
【発明を実施するための形態】
【００２６】以下において、本発明の編成方法であるメリヤス編のねじらない表編とねじらない裏編について図１〜図１２を用いて説明する。
【００２７】最初に、従来の手編みと同様に、右手針Ｘに作り目Ａ１〜Ａ１０を作成する。右手針Ｘに作り目Ａ１〜Ａ１０を作成されると、左手に針Ｘを持ち変え、編み進めていく針Ｙを右手に持ちかえる。このあと、図１のように、右手針Ｙの先端を左手針Ｘ最右端のループＡ１に挿入することによって、本発明のメリヤス編みを使用して裏編みから編み進めていく。
【００２８】まず、裏編みの段階として、図２のように、右手針Ｙの先端を左手針Ｘ最右端のループＡ１の手前側の糸Ａ１ａと向う側の糸Ａ１ｂの間で左手針Ｘの手前に交差するように挿入した後、ループＡ１の中で交差している右手針Ｙの先端に編糸Ｋを手前側から右手針下を通って向う側へかけ右手針にかけた編糸をループＡ１の中へすくい出していき、右手針Ｙに新しいループＢ１を作成する。
このときに、図３のように、ループＡ１はループＢ１の下に編み下がる状態となる。
右手針Ｙに新しいループＢ１を作成したあと、引き続いて図１〜図３のくり返しでループＢ２からループＢ１０までを作成する。
作成されたループＢ１からループＢ１０は交差している右手針Ｙの先端に編糸Ｋを手前側から右手針下を通って向う側へかけ右手針にかけられるので、ねじれていないループとして作成されている。
なお、編糸Ｋは左手針Ｘにかかっている最右端のループＡ１を編むときにだけ左手針側にあるが、その後ループＡ２〜Ａ１０までは右手側にある。
【００２９】ループＢ２からループＢ１０までを作成すると、次に、左手に針Ｘを持ち変え、編み進めていく針Ｙを右手に持ちかえて本発明の表編みを編み進めていくことになる。まず、表編みの段階として、図４のように、右手針Ｘの先端を左手針最右端のループＢ１０の手前側の糸Ｂ１０ａと向う側の糸Ｂ１０ｂの間で左手針の向こう側に交差するように挿入した後、ループの中で交差している右手針Ｘの先端に向う側から右手針下手前側に回すように編糸Ｋをかけて、図６のように右手針Ｘにかけた編糸ＫをループＢ１０の中にすくい出すことによって右手針Ｘに新しいループＣ１０を作成する。このときに、図６のように、ループＢ１０はループＣ１０の下に編み下がる状態となる。
右手針Ｘに新しいループＣ１０を作成したあと、引き続いて図４〜図６のくり返しでループＣ９からループＣ１までを作成する。
作成されたループＣ１からループＣ１０は右手針Ｘの先端を左手針最右端のループの手前側の糸と向う側の糸の間で左手針の向こう側に交差するように挿入したので、ねじれていないループとして作成されている。
なお、編糸Ｋは左手針Ｙにかかっている最右端のループＢ１０を編むときにだけ左手針側にあるが、その後ループＢ９〜Ｂ１までは右手側にある。
【００３０】図７〜図９は本発明の裏編を編み進めていく途中を説明した図で、ねじれていないループＥ５を編み、ループＦ５を作成する図であり、図１０〜図１２は本発明の表編を編み進めていく途中を説明した図で、ねじれていないループＦ５を編み、ねじれていないＧ５を作成する図である。
【００３１】以上の通り、本発明のメリヤス編みにおいては、裏編みにおいても表編においてもねじる状態で編まれることはないし、その結果として出来上がった編物においても、裏編みにおいてねじれたループが表編でねじり返される状態で編まれた状態で作成されていない。
【００３２】以上、本発明のメリヤス編みについて説明したが、ゴム編についても同様であって、ゴム編においては、ねじらない表編とねじらない裏編を交互に編む事によって伸びることの少ないゴム編を編むことができる。また、かのこ編については、ガーター編についても同じことである。
【符号の説明】
【００３３】Ｘ、ＸＸ、Ｙ、ＹＹ、編針
Ｋ、ＫＫ、編糸
Ａ１〜Ａ１０、糸のループ
Ｂ１〜Ｂ１０、  〃
Ｃ１〜Ｃ１０、  〃
Ｄ１〜Ｄ１０、  〃
Ｅ１〜Ｅ１０、  〃
Ｆ１〜Ｆ１０、  〃
Ｐ１〜Ｐ１０、  〃
Ｑ１〜Ｑ１０、  〃
Ｒ１〜Ｒ１０、  〃
Ｓ１〜Ｓ１０、  〃
Ｔ１〜Ｔ１０、  〃
ａ、ループの手前側の糸
ｂ、ループの向う側の糸
【図１】
2011241523.tif 000003
【図２】
2011241523.tif 000004
【図３】
2011241523.tif 000005
【図４】
2011241523.tif 000006
【図５】
2011241523.tif 000007
【図６】
2011241523.tif 000008
【図７】
2011241523.tif 000009
【図８】
2011241523.tif 000010
【図９】
2011241523.tif 000011
【図１０】
2011241523.tif 000012
【図１１】
2011241523.tif 000013
【図１２】
2011241523.tif 000014
【図１３】
2011241523.tif 000015
【図１４】
2011241523.tif 000016
【図１５】
2011241523.tif 000017
【図１６】
2011241523.tif 000018
【図１７】
2011241523.tif 000019
【図１８】
2011241523.tif 000020
【図１９】
2011241523.tif 000021
【図２０】
2011241523.tif 000022